(57)【要約】【課題】  ユーザが映像処理装置内部の信号伝達状態を容易に判断できる構造及び環境を提供することを目的とする。【解決方法】  本発明の実施形態による映像処理装置は、外部装置のプラグに接続される少なくとも一つのコネクターを含み、コネクターに接続された前記プラグを通じて外部装置から信号を受信可能な信号受信部と；信号受信部に受信される信号を既定のプロセスに従って処理する信号処理部と；既定のテスト信号が保存された保存部と；第１端子及び第２端子を含む何れか一つのコネクターに対して、第１端子及び第２端子が電気的に互いに接続する時に保存部に保存されたテスト信号を第１端子に送信し、第２端子を通じてフィードバックされるテスト信号の既定の信号特性変化可否に基づいて信号処理部に対するコネクターの信号伝達状態を判断及び点検する制御部と；を含むことを特徴とする。【選択図】      図５
2014013235.tif 000002
【特許請求の範囲】
【請求項１】
映像処理装置において、
外部装置のプラグに接続される少なくとも一つのコネクターを含み、前記コネクターに接続された前記プラグを通じて前記外部装置から信号を受信可能な信号受信部と；
前記信号受信部に受信される前記信号を既定のプロセスに従って処理する信号処理部と；
既定のテスト信号が保存された保存部と；
第１端子及び第２端子を含む何れか一つの前記コネクターに対して、前記第１端子及び前記第２端子が電気的に互いに接続する時に前記保存部に保存された前記テスト信号を前記第１端子に送信し、前記第２端子を通じてフィードバックされる前記テスト信号の既定の信号特性変化可否に基づいて前記信号処理部に対する前記コネクターの信号伝達状態を判断及び点検する制御部と；
を含むことを特徴とする映像処理装置。
【請求項２】
前記制御部は、前記テスト信号の信号伝達状態の判断結果をディスプレイ部に表示することを特徴とする請求項１に記載の映像処理装置。
【請求項３】
前記映像処理装置は前記ディスプレイ部をさらに含むことを特徴とする請求項１または２に記載の映像処理装置。
【請求項４】
前記映像処理装置は前記ディスプレイ部を含むディスプレイ装置に接続され、
前記制御部は、前記テスト信号の信号伝達状態の判断結果を前記ディスプレイ装置に送信することを特徴とする請求項２または３に記載の映像処理装置。
【請求項５】
前記制御部は、前記保存部に保存された前記テスト信号及び前記フィードバックされる前記テスト信号のそれぞれの前記信号特性レベルを互いに比較し、前記レベルの差が既設定範囲以内ならば前記信号伝達状態が正常であると判断し、前記レベルの差が前記既設定範囲を外れれば前記信号伝達状態が非正常であると判断することを特徴とする請求項１に記載の映像処理装置。
【請求項６】
前記信号特性は、電圧、周波数、同期タイミング、輝度レベル、カラーレベルの中で少なくとも何れか一つを含むことを特徴とする請求項１乃至５のいずれか一項に記載の映像処理装置。
【請求項７】
前記第１端子及び前記第２端子は、前記プラグが前記コネクターに接続された場合に電気的に互いに分離され、前記プラグが前記コネクターに接続されない場合に電気的に互いに接続されるように設けられ、
前記制御部は、前記プラグが前記コネクターに接続されない場合に前記コネクターの信号伝達状態を判断することを特徴とする請求項１に記載の映像処理装置。
【請求項８】
前記テスト信号はアナログ信号を含み、
前記制御部は、前記フィードバックされる前記テスト信号の電圧及び周波数の中で少なくとも何れか一つの変化に基づいて前記コネクターの信号伝達状態を判断することを特徴とする請求項１乃至７のいずれか一項に記載の映像処理装置。
【請求項９】
前記コネクターは音声信号を受信可能で、
前記制御部は、前記フィードバックされる前記テスト信号の電圧及び周波数の中で少なくとも何れか一つに基づいて前記コネクターの信号伝達状態を判断することを特徴とする請求項１乃至７のいずれか一項に記載の映像処理装置。
【請求項１０】
前記コネクターは映像信号を受信可能で、
前記制御部は、前記フィードバックされる前記テスト信号の輝度レベル、カラーレベル、同期タイミングの中で少なくとも何れか一つに基づいて前記コネクターの信号伝達状態を判断することを特徴とする請求項１乃至７のいずれか一項に記載の映像処理装置。
【請求項１１】
前記テスト信号はデジタル信号を含み、
前記制御部は、前記フィードバックされる前記テスト信号のデジタル
コードの変化に基づいて前記コネクターの信号伝達状態を判断することを特徴とする請求項１乃至７のいずれか一項に記載の映像処理装置。
【請求項１２】
前記第１端子は外部ネットワークに対する信号受信端子を含み、前記第２端子は前記外部ネットワークに対する信号送信端子を含み、
前記制御部は、前記第１端子及び前記第２端子が互いに接続された場合に前記コネクターの信号伝達状態を判断することを特徴とする請求項１に記載の映像処理装置。
【請求項１３】
前記第１端子及び前記第２端子は、前記プラグが前記コネクターに接続された場合に関係なく電気的に互いに分離され、前記第１端子及び前記第２端子を電気的に互いに接続させるように設けられた接続部材が前記コネクターに接続されることによって前記第１端子及び前記第２端子の互いに接続が行われることを特徴とする請求項１乃至１２のいずれか一項に記載の映像処理装置。
【請求項１４】
ユーザ入力部をさらに含み、
前記制御部は、前記ユーザ入力部から前記コネクターの信号伝達状態の判断を指示する信号が受信されることによって前記コネクターの信号伝達状態を判断することを特徴とする請求項１に記載の映像処理装置。
【請求項１５】
外部装置のプラグに接続される何れか一つのコネクターと、前記コネクターに受信される信号を処理する信号処理部を含む映像処理装置の制御方法において、
前記何れか一つのコネクターの前記第１端子及び前記第２端子が電気的に互いに接続されたか判断する段階と；
前記第１端子及び前記第２端子が電気的に互に接続されれば、既に保存されたテスト信号を前記第１端子に送信し前記第２端子を通じてフィードバックされる前記テスト信号を受信する段階と；
前記受信された前記テスト信号の既定の信号特性変化可否に基づいて前記信号処理部に対する前記コネクターの信号伝達状態を判断及び点検する段階を含むことを特徴とする映像処理装置の制御方法。
【発明の詳細な説明】
【技術分野】
【０００１】
本発明は、外部装置と接続して該当外部装置から受信される多様な信号を処理可能な映像処理装置及びその制御方法に関し、さらに詳しくは、外部装置のプラグが接続されるコネクターの状態を点検する構造を改善した映像処理装置及びその制御方法に関する。
【背景技術】
【０００２】
一般的に、映像処理装置は外部から受信される映像信号を映像で表示されるように多様な方法で処理する装置を通称する。映像処理装置はディスプレイパネルを備えなかった場合及び自主的にディスプレイパネルを備えた場合がある。ディスプレイパネルを備えなかった映像処理装置は、処理した映像信号が他のディスプレイ装置で映像で表示されるように該当映像信号を他のディスプレイ装置で出力するところ、例えば、セットトップボックスがこれに該当する。一方、ディスプレイパネルを備えた映像処理装置は、処理した映像信号を自体のディスプレイパネルに映像で表示するところ、例えば、ＴＶ又はモニターがこれに該当する。
【０００３】
映像処理装置は映像信号だけでない多様な特性の信号を処理する映像処理ボードが内蔵され、多様な外部装置と有線接続のためのコネクター（ｃｏｎｎｅｃｔｏｒ）又はジャック（ｊａｃｋ）が外部に設けられる。外部装置に電気的に接続された有線プラグ（ｐｌｕｇ）は映像処理装置のコネクターに結合されることによって、外部装置からの信号が映像処理装置内の映像処理ボードに伝達される。映像処理ボードはコネクターを通じて受信される信号を処理する。
【０００４】
しかし、万一外部装置及び映像処理装置の信号伝達が不良な場合、両装置を電気的に接続する構成の中で何の原因によって信号伝達の不良が発生したかを判断及び点検することは容易でない。例えば、このような信号伝達の不良の発生は、外部装置自らの問題や、外部装置に接続された有線プラグの問題や、映像処理装置内部のコネクター自体、又はコネクター及び映像処理ボードの間の配線状態の問題であることがある。特に、映像処理装置の内部構造を分からなくて、特定の検事装備をそろえなかった一般ユーザが、映像処理装置内部の信号伝達状態を判断することは困るので、このために映像処理装置内部の信号伝達状態を容易に判断できる構造が必要である。
【発明の概要】
【発明が解決しようとする課題】
【０００５】
従って、本発明の目的は、ユーザが映像処理装置内部の信号伝達状態を容易に判断できる構造及び環境を提供することを目的とする。
【課題を解決するための手段】
【０００６】
本発明の実施形態による映像処理装置は、外部装置のプラグに接続される少なくとも一つのコネクターを含み、前記コネクターに接続された前記プラグを通じて前記外部装置から信号を受信することができる信号受信部と；前記信号受信部に受信される前記信号を既定のプロセスに従って処理する信号処理部と；既定のテスト信号が保存された保存部と；第１端子及び第２端子を含む何れか一つの前記コネクターに対して、前記第１端子及び前記第２端子が電気的に互いに接続する時に前記保存部に保存された前記テスト信号を前記第１端子に送信し、前記第２端子を通じてフィードバックされる前記テスト信号の既定の信号特性変化可否に基づいて前記信号処理部に対する前記コネクターの信号伝達状態を判断及び点検する制御部と；を含むことを特徴とする。
【０００７】
ここで、前記制御部は、前記テスト信号の信号伝達状態の判断結果をディスプレイ部に表示することができる。ここで、前記映像処理装置は前記ディスプレイ部をさらに含むことができる。
【０００８】
又は、前記映像処理装置は前記ディスプレイ部を含むディスプレイ装置に接続され、前記制御部は、前記テスト信号の信号伝達状態の判断結果を前記ディスプレイ装置に送信することができる。
【０００９】
また、前記制御部は、前記保存部に保存された前記テスト信号及び前記フィードバックされる前記テスト信号それぞれの前記信号特性レベルを互いに比較し、前記レベルの差が既設定範囲以内ならば前記信号伝達状態が正常であると判断し、前記レベルの差が前記既設定範囲を外れれば前記信号伝達状態が非正常であると判断することができる。
【００１０】
ここで、前記信号特性は、電圧、周波数、同期タイミング、輝度レベル、カラーレベルの中で少なくとも何れか一つを含むことができる。
【００１１】
また、前記第１端子及び前記第２端子は、前記プラグが前記コネクターに接続された場合に電気的に互いに分離され、前記プラグが前記コネクターに接続されない場合に電気的に互いに接続されるように設けられ、前記制御部は、前記プラグが前記コネクターに接続されない場合に前記コネクターの信号伝達状態を判断することができる。
【００１２】
ここで、前記テスト信号はアナログ信号を含み、前記制御部は、前記フィードバックされる前記テスト信号の電圧及び周波数の中で少なくとも何れか一つの変化に基づいて前記コネクターの信号伝達状態を判断することができる。
【００１３】
又は、前記コネクターは音声信号を受信可能で、前記制御部は、前記フィードバックされる前記テスト信号の電圧及び周波数の中で少なくとも何れか一つに基づいて前記コネクターの信号伝達状態を判断することができる。
【００１４】
又は、前記コネクターは映像信号を受信可能で、前記制御部は、前記フィードバックされる前記テスト信号の輝度レベル、カラーレベル、同期タイミングの中で少なくとも何れか一つに基づいて前記コネクターの信号伝達状態を判断することができる。
【００１５】
又は、前記テスト信号はデジタル信号を含み、前記制御部は、前記フィードバックされる前記テスト信号のデジタル
コードの変化に基づいて前記コネクターの信号伝達状態を判断することができる。
【００１６】
又は、前記第１端子は外部ネットワークに対する信号受信端子を含み、前記第２端子は前記外部ネットワークに対する信号送信端子を含み、前記制御部は、前記第１端子及び前記第２端子が互いに接続された場合に前記コネクターの信号伝達状態を判断することができる。
【００１７】
ここで、前記第１端子及び前記第２端子は、前記プラグが前記コネクターに接続された場合に関係なく電気的に互いに分離され、前記第１端子及び前記第２端子を電気的に互いに接続させるように設けられた接続部材が前記コネクターに接続されることによって前記第１端子及び前記第２端子の互いに接続されることができる。
【００１８】
また、ユーザ入力部をさらに含み、前記制御部は、前記ユーザ入力部から前記コネクターの信号伝達状態の判断を指示する信号が受信されることに従って前記コネクターの信号伝達状態を判断することができる。
【００１９】
また、本発明の実施形態による外部装置のプラグに接続される何れか一つのコネクターと、前記コネクターに受信される信号を処理する信号処理部を含む映像処理装置の制御方法は、前記何れか一つのコネクターの前記第１端子及び前記第２端子が電気的に互いに接続されたか判断する段階と；前記第１端子及び前記第２端子が電気的に互に接続されれば、既に保存されたテスト信号を前記第１端子に送信し前記第２端子を通じてフィードバックされる前記テスト信号を受信する段階と；前記受信された前記テスト信号の既定の信号特性変化可否に基づいて前記信号処理部に対する前記コネクターの信号伝達状態を判断及び点検する段階を含むことを特徴とする。
【００２０】
ここで、前記コネクターの信号伝達状態を判断及び点検する段階は、前記テスト信号の信号伝達状態の判断結果を表示する段階を含むことができる。
【００２１】
また、前記コネクターの信号伝達状態を判断及び点検する段階は、前記既に保存された前記テスト信号及び前記フィードバックされる前記テスト信号それぞれの前記信号特性レベルを互いに比較する段階と；前記レベルの差が既設定範囲以内ならば前記信号伝達状態が正常であると判断し、前記レベルの差が前記既設定範囲を外れれば前記信号伝達状態が非正常であると判断する段階と；を含むことができる。
【００２２】
ここで、前記信号特性は、電圧、周波数、同期タイミング、輝度レベル、カラーレベルの中で少なくとも何れか一つを含むことができる。
【００２３】
また、前記テスト信号はアナログ信号を含み、前記コネクターの信号伝達状態を判断及び点検する段階は、前記フィードバックされる前記テスト信号の電圧及び周波数の中で少なくとも何れか一つの変化に基づいて前記コネクターの信号伝達状態を判断する段階を含むことができる。
【００２４】
又は、前記テスト信号はデジタル信号を含み、前記コネクターの信号伝達状態を判断及び点検する段階は、前記フィードバックされる前記テスト信号のデジタルコードの変化に基づいて前記コネクターの信号伝達状態を判断する段階を含むことができる。
【００２５】
又は、前記コネクターは音声信号を受信可能で、前記コネクターの信号伝達状態を判断及び点検する段階は、前記フィードバックされる前記テスト信号の電圧及び周波数の中で少なくとも何れか一つに基づいて前記コネクターの信号伝達状態を判断する段階を含むことができる。
【００２６】
又は、前記コネクターは映像信号を受信可能で、前記コネクターの信号伝達状態を判断及び点検する段階は、前記フィードバックされる前記テスト信号の輝度レベル、カラーレベル、同期タイミングの中で少なくとも何れか一つに基づいて前記コネクターの信号伝達状態を判断する段階を含むことができる。
【発明の効果】
【００２７】
本発明によれば、ユーザが映像処理装置内部の信号伝達状態を容易に判断することができる。
【図面の簡単な説明】
【００２８】
【図１】図１は本発明の第１実施形態による映像処理装置の例示図である。
【図２】図２は図１の映像処理装置で、プラグが結合されなかった状態での何れか一つのコネクターの内部構造を示す要部断面図である。
【図３】図１の映像処理装置で、プラグが結合された状態での何れか一つのコネクターの内部構造を示す要部断面図である。
【図４】図１の映像処理装置の構成ブロック図である。
【図５】図１の映像処理装置でコネクター及び信号処理部の間の信号伝達状態を判断する構造を示す構成ブロック図である。
【図６】図１の映像処理装置で信号処理部に対する何れか一つのコネクターの信号伝達状態を点検する方法を示すフローチャートである。
【図７】本発明の第２実施形態による映像処理装置でコネクター及び信号処理部の間の信号伝達状態を判断する構造を示す構成ブロック図である。
【図８】本発明の第３実施形態による映像処理装置でコネクター及び信号処理部の間の信号伝達状態を判断する構造を示す構成ブロック図である。
【発明を実施するための形態】
【００２９】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置又はシステムを具現することにおいて、このように説明が省略された構成が不要であることを意味するものではないことを明らかにする。
【００３０】
図１は本発明の第１実施形態による映像処理装置１の例示図である。図１に示すように、本実施形態による映像処理装置１は自主的に映像を表示可能なディスプレイ装置のＴＶで具現される。ただし、本発明の思想が反映された映像処理装置１はＴＶだけでないモニター、携帯用マルチメディア
プレーヤー、モバイルフォン等多様なディスプレイ装置で具現されることができる。
【００３１】
映像処理装置１はローカルで接続された外部装置１０から多様な種類の信号を受信する。例えば、映像処理装置１は外部装置１０から映像信号又は音声信号を受信し、これを処理して映像で表示したり音声を出力する。又は、映像処理装置１は外部装置１０から多様な情報を含む信号を受信すれば、該当信号を既定の多様なプロセスに従って処理する。
【００３２】
また、映像処理装置１は外部装置１０からアナログ信号又はデジタル信号を受信して、該当信号の特性に合う処理を遂行する。
【００３３】
このような映像処理装置１及び外部装置１０の間の信号送信動作は有線又は無線を通じて行われる。本実施形態によると、外部装置１０に電気的に接続された有線プラグ２０が映像処理装置１のジャッキ／コネクター１１０に結合され、このような結合構造によって外部装置１０からの信号が映像処理装置１に送信される。
【００３４】
コネクター１１０は映像処理装置１の外側に少なくとも一つ以上設けられる。コネクター１１０はプラグ２０に対応する形状を有し、プラグ２０がコネクター１１０に電気的に接続されるようにプラグ２０を受容する。
【００３５】
以下、コネクター１１０及びプラグ２０の結合構造に関して図２及び図３を参照して説明する。図２はプラグ２０が結合されなかった状態での何れか一つのコネクター１１０の内部構造を示す要部断面図、図３はプラグ２０が結合された状態での何れか一つのコネクター１１０の内部構造を示す要部断面図である。
【００３６】
図２に示すように、一つのプラグ２０に接続される一つのコネクター１１０は、プラグ２０を受容するための受容空間１１３を有する。また、コネクター１１０は受容空間１１３内に設けられ、プラグ２０にそれぞれ接続する第１端子１１１及び第２端子１１２を含む。
【００３７】
プラグ２０は第１電極２１及び第２電極２２を有する。第１電極２１及び第２電極２２は互いに電気的に分離される。また、外部装置１０に接続された状態で第１電極２１及び第２電極２２は互いに電気的に分離された配線で連結される。第１端子１１１は第１電極２１に接触するように設けられ、第２端子１１２は第２電極２２に接触するように設けられる。
【００３８】
第１端子１１１は第１出力端ｕ１に、第２端子１１２は第２出力端ｕ２に各々接続される。第１端子１１１及び第２端子１１２は受容空間１１３で突出した導電性の弾性体で具現される。プラグ２０がコネクター１１０に結合されない状態に、第１端子１１１及び第２端子１１２は互いに接触することによって、第１端子１１１及び第２端子１１２は互いに通電される。
【００３９】
本実施形態によるコネクター１１０は二つの端子１１１、１１２だけを含むように表現したが、三以上の端子を含むこともできる。例えば、プラグ２０が３ヶの電極を有してこれに対応してコネクター１１０も３ヶの端子を有する構造が可能である。この場合に、プラグ２０がコネクター１１０に結合されなかった状態に、二つの第１端子及び第２端子は相互接触して残り一つの第３端子は第１端子又は第２端子に接触しなかった状態で具現されることができる。
【００４０】
一方、図３に示すように、プラグ２０がコネクター１１０に結合されることによって、第１電極２１は第１端子１１１に接触し第２電極２２は第２端子１１２に接触する。ここで、プラグ２０は弾性体で具現された第１端子１１１及び第２端子１１２の間に位置することによって、第１端子１１１及び第２端子１１２を相互分離する方向に移動させる。
【００４１】
即ち、プラグ２０がコネクター１１０に結合されなかった状態では、第１端子１１１及び第２端子１１２が相互電気的に接続されることによって第１出力端ｕ１及び第２出力端ｕ２も互いに電気的に接続される。しかし、プラグ２０がコネクター１１０に結合された状態では、プラグ２０により第１端子１１１及び第２端子１１２が互いに電気的に分離され、第１出力端ｕ１及び第２出力端ｕ２も互いに電気的に分離される。
【００４２】
以下、映像処理装置１の具体的な構成に関して図４を参照して説明する。図４は映像処理装置１の構成ブロック図である。
【００４３】
図４に示すように、映像処理装置１は外部装置１０から信号を受信する信号受信部１００と、信号受信部１００に受信される信号を既定の多様なプロセスに従って処理する信号処理部２００と、信号処理部２００により処理される信号が映像信号の場合に該当信号を映像で表示するディスプレイ部３００と、ユーザの操作に従って既定のコマンドを出力するユーザ入力部４００と、限定されなかったデータ／情報が保存される保存部５００と、映像処理装置１の多様な動作を制御する制御部６００と、を含む。
【００４４】
信号受信部１００は外部装置１０から受信される信号を信号処理部２００に伝達し、受信される信号の特性及び規格、外部装置１０の具現方式、映像処理装置１の具現方式等の要因に従って多様な方式で具現される。例えば、信号受信部１００は、ＨＤＭＩ（登録商標：ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、それぞれの規格に対応する少なくとも一つ以上のコネクター１１０を含む。
【００４５】
信号受信部１００は外部装置１０から信号を受信すること以外にも、映像処理装置１の情報／データ／信号を外部装置１０に送信することもできる。即ち、信号受信部１００は外部装置１０として信号を受信する構成にだけ限定せず、両方向通信が可能なインターフェース（ｉｎｔｅｒｆａｃｅ）で具現される。
【００４６】
また、本実施形態では信号受信部１００が外部装置１０との有線接続のためのコネクター１１０だけを含む場合に関してだけ表現する。しかし、映像処理装置１の設計方式に従って、信号受信部１００は外部装置１０との無線通信のための無線通信モジュール(図示せず)や、放送信号のチューニングのためのチューナー（図示せず）のように、多様な付加的な構成をさらに含むことができる。
【００４７】
信号処理部２００は信号受信部１００に受信される信号に対して既定のプロセスを行うことによって該当信号を処理する。例えば、信号受信部１００に受信される信号が映像信号の場合、信号処理部２００は映像処理プロセスに従って映像信号を処理してディスプレイ部３００に出力することによって、ディスプレイ部３００に該当映像信号に基づく映像が表示されるようにする。
【００４８】
信号処理部２００が行う映像処理プロセスの種類は限られず、例えば、所定信号を各特性別信号で分配するディマルチプレキシング（ｄｅ−ｍｕｌｔｉｐｌｅｘｉｎｇ）映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既定の解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレーム
リフレッシュ レート（ｆｒａｍｅ  ｒｅｆｒｅｓｈ  ｒａｔｅ）変換等を含むことができる。
【００４９】
また、信号処理部２００は信号受信部１００に受信される信号が音声信号やデータ信号である場合に、各信号に合う処理動作を行う。信号処理部２００によるこのような処理動作の具現は、映像処理装置１の設計段階で信号受信部１００が受信する信号特性を考慮して決定されて適用することができる。
【００５０】
信号処理部２００はこのようなプロセスを行うためのチップセット（図示せず）、メモリー（図示せず）、電子部品（図示せず）、配線（図示せず）等の回路構成が印刷回路基板（図示せず）上に実装された映像処理ボード（図示せず）で具現される。
【００５１】
ディスプレイ部３００は信号処理部２００から出力される映像信号に基づいて映像を表示する。ディスプレイ部３００の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００５２】
ディスプレイ部３００はその具現方式に従って付加的な構成を追加的に含むことができる。例えば、ディスプレイ部３００が非発光素子の液晶方式である場合、ディスプレイ部３００は液晶ディスプレイパネル（図示せず）と、これに光を供給するバックライトユニット（図示せず）と、パネル（図示せず）を駆動させるパネル駆動基板（図示せず）と、を含む。
【００５３】
ユーザ入力部４００はユーザの操作及び入力によって、既定の多様な制御コマンド又は限定されなかった情報を出力する。ユーザ入力部４００は映像処理装置１外側に設置されたメニューキー（ｍｅｍｕ−ｋｅｙ）及び入力パネル（ｐａｎｅｌ）や、映像処理装置１と分離離隔されたリモート
コントローラー（ｒｅｍｏｔｅ  ｃｏｎｔｒｏｌｌｅｒ）等で具現される。
【００５４】
又は、ユーザ入力部４００はディスプレイ部３００と一体型で具現されることができる。即ち、ディスプレイ部３００がタッチスクリーン（ｔｏｕｃｈ−ｓｃｒｅｅｎ）である場合、ユーザはディスプレイ部３００に表示された入力メニュー（図示せず）を通じて既定のコマンドが生成されるようにすることもできる。
【００５５】
保存部５００はフラッシュメモリー（ｆｌａｓｈ−ｍｅｍｏｒｙ）、ハードディスク
ドライブ（ｈａｒｄ−ｄｉｓｃ  ｄｒｉｖｅ）のような非揮発性メモリーで具現され、多様なデータが保存される。保存部５００は後述する制御部６００によりアクセス（ａｃｃｅｓｓ）され、制御部６００によるデータの読み取り／記録／修正／削除／更新等が行われる。
【００５６】
このような構造によって、外部装置１０からの映像信号が信号受信部１００に受信されれば信号処理部２００は映像信号を処理して、ディスプレイ部３００に映像で表示し、また、外部装置１０からの音声信号が信号受信部１００に受信されれば信号処理部２００は音声信号を処理してスピーカー（図示せず）に出力する。このように、信号処理部２００は信号受信部１００に受信される信号の特性に従って、該当信号を処理する。
【００５７】
しかし、例えば映像信号が外部装置１０から信号処理部２００に送信される過程で所定位置に送信不良が発生すれば、ディスプレイ部３００に表示される映像に不良が現れることがある。不良の原因が外部装置１０自体にあったり、コネクター１１０に接続された外部装置１０の有線プラグ２０にあれば、該当構成を交替して確認する方法で容易に発見することができる。
【００５８】
しかし、万一不良の原因がコネクター１１０及び信号処理部２００の間の信号伝達構成、例えば、コネクター１１０自らの状態、又はコネクター１１０及び信号処理部２００の間の信号配線状態等に問題があれば、一般ユーザがこれを判断することは容易でない。ユーザは映像処理装置１の構造に対して詳細に知っていないで、また信号伝達構成の問題を検査できる検査装備（図示せず）をそろえていないのが一般的であるから、従来の場合にユーザが信号処理部２００に対するコネクター１１０の信号伝達状態を判断することは容易でない。
【００５９】
従って、本実施形態による映像処理装置１は、外部装置１０に接続された一つの有線プラグ２０が結合される一つのコネクター１１０を対象として、信号処理部２００に対するこのコネクター１１０の信号伝達状態を判断するために次のような構造及び方法が適用される。
【００６０】
図５は本実施形態による制御部６００がコネクター１１０及び信号処理部２００の間の信号伝達状態を判断する構造を示す構成ブロック図である。図５に示すように、コネクター１１０は第１端子１１１及び第２端子１１２を含む。第１端子１１１及び第２端子１１２は配線７１０、７２０によって各々信号処理部２００に連結される。プラグ２０がコネクター１１０に結合された状態では第１端子１１１及び第２端子１１２は電気的に互いに分離され、外部装置１０から第１端子１１１及び第２端子１１２に各々伝達される信号は各配線７１０、７２０を通じて信号処理部２００に伝達される。
【００６１】
反面、プラグ２０がコネクター１１０に結合されなかった状態で第１端子１１１及び第２端子１１２は電気的に互いに接続される７３０。これは図２及び図３で説明したことと同じである。
【００６２】
一方、保存部５００は既定のテスト信号５１０を保存する。テスト信号５１０は多様な種類又は特性を有する信号で具現されるので、コネクター１１０の特性に従ってテスト信号５１０を設定することができる。万一、コネクター１１０が音声信号を受信する構成ならば、テスト信号５１０は音声信号で具現される。又は、コネクター１１０が映像信号を受信する構成ならば、テスト信号５１０は既定の映像情報を含む映像信号で具現される。
【００６３】
このような構造で、制御部６００はユーザ入力部４００からコネクター１１０の信号伝達状態を点検することを指示する制御信号７４０が受信されれば、第１端子１１１及び第２端子１１２の間が電気的に互いに接続されているか可否を判断する７３０。
【００６４】
このような判断方法は多様な方法を適用することができるので、例えば、コネクター１１０にプラグ２０が結合されたか可否による方法がある。制御部６００はコネクター１１０にプラグ２０が結合されたと感知されれば第１端子１１１及び第２端子１１２の間が電気的に互いに分離されたと判断し、コネクター１１０にプラグ２０が結合されなかったと感知されれば第１端子１１１及び第２端子１１２の間が電気的に互いに接続されたと判断することができる。
【００６５】
また、コネクター１１０にプラグ２０が結合されたかを感知する方法は多様な方法を適用することができるので、例えば、第１端子１１１を通じて外部装置１０から特定信号が受信される場合にはコネクター１１０にプラグ２０が結合されたと、第１端子１１１を通じて外部装置１０から前記の特定信号が受信されない場合にはコネクター１１０にプラグ２０が結合されなかったと、判断することができる。しかし、このような方法は多様な具現例示の中で一例に過ぎず、本発明の思想を限定することではない。
【００６６】
第１端子１１１及び第２端子１１２が電気的に互いに接続されていると判断すれば７３０、制御部６００は保存部５００からテスト信号５１０を読み取る７５０。テスト信号５１０は保存部５００にデジタル
データで保存されているので、制御部６００はこのようなデジタル データに基づいてアナログ信号のテスト信号５１０を生成したり又はデジタル データをそのままテスト信号５１０で使用することもできる。
【００６７】
制御部６００は読み取ったテスト信号５１０を第１端子１１１に送信する７６０、７１０。第１端子１１１及び第２端子１１２が電気的に互いに接続された状態７３０であるので、第１端子１１１に送信されたテスト信号５１０は第２端子１１２を経て制御部６００にフィードバック（ｆｅｅｄ−ｂａｃｋ）される７２０、７７０。
【００６８】
従って、制御部６００はフィードバックされたテスト信号５１０の信号特性変化可否を判断する。具体的に、テスト信号５１０が制御部６００によって第１端子１１１に送信される以前の保存部５００に保存された状態を第１状態、テスト信号５１０が第２端子１１２からフィードバックされた状態を第２状態とすれば、制御部６００はテスト信号５１０の第１状態及び第２状態の間の定量化された信号特性レベルを比較する。制御部６００は比較結果検出された差に基づいて、信号伝達状態の正常又は非正常を判断する。
【００６９】
例えば、テスト信号５１０がアナログ特性を有すれば、制御部６００は第１状態及び第２状態の間のテスト信号５１０の電圧又は周波数差を検出する。制御部６００は検出された差異値が既設定範囲以内ならば信号伝達状態が正常であると判断し、検出された差異値が前記既設定範囲を外れれば信号伝達状態が非正常であると判断する。
【００７０】
又は、テスト信号５１０がアナログ特性の音声信号ならば、制御部６００は第１状態及び第２状態の間のテスト信号５１０の電圧又は周波数差を検出する。制御部６００は検出された差異値が既設定範囲以内ならば信号伝達状態が正常であると判断し、検出された差異値が前記既設定範囲を外れれば信号伝達状態が非正常であると判断する。
【００７１】
又は、テスト信号５１０が映像信号ならば、制御部６００は第１状態及び第２状態の間のテスト信号５１０の輝度レベル、カラーレベル、同期タイミングの中で少なくとも何れか一つの差を検出する。制御部６００は検出された差異値が既設定範囲以内ならば信号伝達状態が正常であると判断し、検出された差異値が前記既設定範囲を外れれば信号伝達状態が非正常であると判断する。
【００７２】
又は、テスト信号５１０がデジタル特性を有すれば、制御部６００は第１状態及び第２状態の間のテスト信号５１０のデジタルコードの変化があるかを検出する。制御部６００はデジタルコードの変化がなかったり変化したデジタルコードの数が許容範囲以内ならば信号伝達状態が正常であると判断する。しかし、制御部６００は変化したデジタルコードの数が許容範囲を越えれば信号伝達状態が正常であると判断する。
【００７３】
このような方法でコネクター１１０及び信号処理部２００の間の信号伝達状態、又は信号処理部２００に対するコネクター１１０の信号伝達状態の正常又は非正常可否を判断すれば、制御部６００はこの判断結果をディスプレイ部３００に表示することによってユーザに知らせる。
【００７４】
このように、本実施形態によれば、制御部６００は保存部５００に保存されたテスト信号５１０を第１端子１１１に送信し、第２端子１１２を通じてフィードバックされるテスト信号５１０の既定の信号特性変化可否に基づいて信号処理部２００に対するコネクター１１０の信号伝達状態を判断する。制御部６００は判断結果をディスプレイ部３００に表示することによって、映像処理装置１の自家診断によってユーザが映像処理装置１内の信号伝達状態を容易に判断できるように保障する。
【００７５】
以下、本実施形態による映像処理装置１で信号処理部２００に対する何れか一つのコネクター１１０の信号伝達状態を点検する方法に関して図６を参照して説明する。図６はこのような過程を示す制御フローチャートである。
【００７６】
図６に示すように、コネクター１１０点検を指示するイベントが発生すれば（Ｓ１００）、制御部６００は該当コネクターの第１端子１１１及び第２端子１１２が電気的に互いに接続されたか判断する（Ｓ１１０）。
【００７７】
制御部６００は第１端子１１１及び第２端子１１２が電気的に互いに接続されないと判断すれば、コネクター１１０点検動作を行えず、エラーメッセージを表示する（Ｓ１２０）。
【００７８】
しかし、制御部６００は第１端子１１１及び第２端子１１２が電気的に互いに接続したと判断すれば、既に保存されたテスト信号５１０を第１端子１１１に送信する（Ｓ１３０）。制御部６００はテスト信号５１０が第２端子１１２からフィードバックされると、フィードバックされたテスト信号５１０の変化可否に基づいてコネクター１１０の信号伝達状態を判断する（Ｓ１４０）。制御部６００は判断した信号伝達状態を表示する（Ｓ１５０）。
【００７９】
このような過程に従って、信号処理部２００に対するコネクター１１０の信号伝達状態を判断及び点検することができる。
【００８０】
一方、前記第１実施形態は図２及び図３に示すように、プラグ２０がコネクター１１０に接続又は結合されたか否かに従って第１端子１１１及び第２端子１１２の間の電気的接続可否が変化する場合に対して説明する。
【００８１】
しかし、コネクターの種類又は規格に従って、プラグの接続有無と関係なく第１端子及び第２端子の間が常に電気的に分離する場合も可能である。例えば、プラグが外部ネットワークとの接続のためＬＡＮケーブルで、これに対応してコネクターの第１端子が外部ネットワークに対する信号受信端子で、コネクターの第２端子が外部ネットワークに対する信号送信端子の場合ならば、規格上このような第１端子及び第２端子は常に電気的に分離された状態である。
【００８２】
以下、第２実施形態に従ってこのような構成のコネクターの信号伝達状態を判断する構造に対して説明する。図７は第２実施形態による制御部６００がコネクター１２０及び信号処理部２００の間の信号伝達状態を判断する構造を示す構成ブロック図である。
【００８３】
図７に示すように、コネクター１２０は第１端子１２１及び第２端子１２２を含む。第１端子１２１及び第２端子１２２は配線８１０、８２０によって各々信号処理部２００に連結される。第１端子１２１及び第２端子１２２はプラグ（図示せず）がコネクター１２０に結合されたか可否に関係なく常に電気的に互いに分離される。
【００８４】
保存部５００は既定のテスト信号５２０を保存する。本実施形態ではテスト信号５２０は保存部５００に保存されたと表現するが、制御部６００が既定のアルゴリズムに従ってテスト信号５２０を生成することもできる。コネクター１２０が外部ネットワークとの接続のためＬＡＮインターフェースである場合、制御部６００はテスト信号５２０として既定の情報を含むデータ
パケットを生成することができる。
【００８５】
コネクター１２０の信号伝達状態を点検するために、ユーザはコネクター１２０に接続部材３０を結合させる。接続部材３０はコネクター１２０に結合されれば、第１端子１２１及び第２端子１２２を電気的に互いに接続させる構成であるので、その具体的な形状、構造は限定されない。
接続部材３０により第１端子１２１及び第２端子１２２が電気的に接続され８３０、ユーザ入力部４００からコネクター１２０の信号伝達状態を点検することを指示する制御信号８４０が受信されれば、制御部６００は保存部５００からテスト信号５２０を読み取る８５０。制御部６００は読み取ったテスト信号５２０を第１端子１２１に送信する８６０、８１０。
【００８６】
制御部６００はテスト信号５２０が第２端子１２２からフィードバックされれば８２０、８７０、フィードバックされたテスト信号の信号特性変化可否を判断する。テスト信号の信号特性変化可否に従ってコネクターの信号伝達状態を判断及び点検する具体的な方法は前述した第１実施形態を応用できるので、詳しい説明は省略する。
【００８７】
一方、前述した第２実施形態では第１端子１２１及び第２端子１２２の通電／接続のために別途の接続部材３０がコネクター１２０に結合される場合に対して説明したが、接続部材３０を適用しない実施形態も可能である。以下、第３実施形態に従ってこのような構成のコネクターの信号伝達状態を判断する構造に対して説明する。図８は第３実施形態による制御部６００がコネクター１３０及び信号処理部２００の間の信号伝達状態を判断する構造を示す構成ブロック図である。
【００８８】
図８に示すように、コネクター１３０は第１端子１３１及び第２端子１３２を含む。第１端子１３１及び第２端子１３２は配線９１０、９２０により各々信号処理部２００に連結される。
【００８９】
第１端子１３１及び第２端子１３２の間には第１端子１３１及び第２端子１３２の間の通電を選択的に許容又は遮断するようにスイッチングするスイッチ１３３が設けられ、このスイッチ１３３は制御部６００によりスイッチングが制御される９３０。
【００９０】
ユーザ入力部４００からコネクター１３０の信号伝達状態を点検することを指示する制御信号９４０が受信されれば、制御部６００はスイッチ１３３を制御して第１端子１３１及び第２端子１３２の間を電気的に接続させる９５０。制御部６００は保存部５００からテスト信号５３０を読み取り９６０、読み取った信号５３０を第１端子１３１に送信する９７０、９１０。
【００９１】
制御部６００はテスト信号５３０が第２端子１３２からフィードバックされると９２０、９８０、フィードバックされたテスト信号の信号特性変化可否を判断する。テスト信号の信号特性変化可否に従ってコネクターの信号伝達状態を判断及び点検する具体的な方法は前述した第１実施形態を応用できるので、詳しい説明を省略する。
【００９２】
もちろん、制御部６００はコネクター１３０にプラグ（図示せず）が結合された場合にこれを感知して第１端子１３１及び第２端子１３２の間が電気的に分離されるようにスイッチ１３３を制御する。
【００９３】
一方、以上実施形態では映像処理装置が自主的に備えたディスプレイ部に点検結果を表示する場合に関し説明した。しかし、映像処理装置がディスプレイ部を備えなかった場合でも、該当点検結果を他のディスプレイ装置に伝達することによって他のディスプレイ装置に該当点検結果が表示されるようにすることもできる。
【００９４】
前記実施形態は例示に過ぎず、本発明の属する技術分野の通常の知識を有する人なら本発明の原則や精神を外れることなく本発明の一実施形態を変形し得ることが理解できる。発明の範囲は、特許請求の範囲とその均等物によって定まる。
【符号の説明】
【００９５】
１      ディスプレイ装置
１０    外部装置
２０    プラグ
１００  信号受信部
２００  信号処理部
３００  ディスプレイ部
４００  ユーザ入力部
５００  保存部
６００  制御部
【図１】
2014013235.tif 000003
【図２】
2014013235.tif 000004
【図３】
2014013235.tif 000005
【図４】
2014013235.tif 000006
【図５】
2014013235.tif 000007
【図６】
2014013235.tif 000008
【図７】
2014013235.tif 000009
【図８】
2014013235.tif 000010